(57)【要約】【課題】  特別に複雑な操作を必要とすることなく、簡単に広い範囲から様々な情報を検索することができるようにする。【解決手段】  受信した放送番組などの第１のコンテンツの表示などの処理を行うと共に、その処理された第１のコンテンツに関連したキーワードを抽出して表示し、表示されたキーワードに基づいてインターネット上のウェブページなとの所定の形態の第２のコンテンツの検索を行い、その検索で探し出された第２のコンテンツを表示するようにした。また、例えばキーワードとして番組に関連したものを複数表示させて、ユーザ操作で選べるようにした。【選択図】      図２ 
2005115790.tif 000002
【特許請求の範囲】
【請求項１】
第１のコンテンツの処理を行っている状態で、その第１のコンテンツに関連したキーワードを抽出して表示し、
前記表示されたキーワードに基づいて所定の形態の第２のコンテンツの検索を行い、その検索で探し出された第２のコンテンツを表示する
情報検索方法。
【請求項２】
請求項１記載の情報検索方法において、
前記第１のコンテンツは、放送番組のコンテンツであり、その第１のコンテンツに付随する番組案内情報から前記キーワードを抽出し、
その抽出されたキーワードに基づいてインターネット上のウェブページを検索し、検索されたウェブページを前記放送番組と同時に表示させるようにした
情報検索方法。
【請求項３】
請求項１記載の情報検索方法において、
前記第１のコンテンツに関連したキーワードの抽出は、複数の候補キーワードを抽出し、
抽出された複数の候補キーワードの中から選択されたキーワードに基づいて第２のコンテンツの検索を行う
情報検索方法。
【請求項４】
請求項１記載の情報検索方法において、
前記抽出して表示されたキーワードから、連想される別のキーワードを検索して表示し、表示された別のキーワードを、第２のコンテンツ検索用のキーワードとする
情報検索方法。
【請求項５】
第１のコンテンツを表示する表示手段と、
前記表示手段に表示された第１のコンテンツに関連したキーワードを抽出して前記表示手段に表示させ、その表示されたキーワードに基づいて所定の形態の第２のコンテンツの検索を行い、その検索で探し出された第２のコンテンツについても前記表示手段に表示させる制御を行う制御手段とを備えた
情報表示装置。
【請求項６】
請求項５記載の情報表示装置において、
前記表示手段で表示させる第１のコンテンツは、放送番組のコンテンツであり、前記制御手段は、その表示された第１のコンテンツに付随する番組案内情報から前記キーワードを抽出し、その抽出されたキーワードに基づいてインターネット上のウェブページを検索し、検索されたウェブページを前記放送番組と同時に表示させる
情報表示装置。
【請求項７】
請求項５記載の情報表示装置において、
前記制御手段は、第１のコンテンツに関連したキーワードとして、複数の候補キーワードを抽出し、抽出された複数の候補キーワードの中から選択されたキーワードに基づいて第２のコンテンツの検索を行う
情報表示装置。
【請求項８】
請求項５記載の情報表示装置において、
前記制御手段は、抽出して表示手段に表示させたキーワードから、連想される別のキーワードを検索して表示させ、表示された別のキーワードを、第２のコンテンツ検索用のキーワードとする
情報表示装置。
【請求項９】
第１のコンテンツを表示する表示処理と、
前記表示処理で表示された第１のコンテンツに関連したキーワードを抽出して表示させ、その表示されたキーワードに基づいて所定の形態の第２のコンテンツの検索を行い、その検索で探し出された第２のコンテンツについても表示させる制御を行う制御処理としての機能を実行する
プログラム。
【発明の詳細な説明】
【技術分野】
【０００１】
本発明は、インターネットなどを経由して情報を検索する情報検索方法、及び検索された情報を表示する情報表示装置、並びに情報検索や表示を実行するプログラムに関し、特にテレビジョン受像機のように放送番組などのコンテンツを表示する装置に適用して好適な技術に関する。
【背景技術】
【０００２】
従来、例えばＨＴＭＬ（Hyper Text Markup Language）で記述されたウェブページや、ストリーミング音楽や動画など、インターネット上のコンテンツにアクセスしようとする場合、そのコンテンツが存在するＵＬＲアドレスなどを入力して、コンテンツが置いてある場所に到達する操作が必要であった。このようなインターネットへのアクセスを行う機器としては、パーソナルコンピュータ装置が一般的であり、コンピュータ装置の場合には比較的容易に文字入力等が行えるので、ＵＬＲアドレスなどの入力も比較的簡単に行え、必要なコンテンツの取得が比較的容易に行える。
【０００３】
これに対して、テレビジョン受像機、ビデオレコーダ、セットトップボックスなどに代表される家電製品では、コンピュータ装置の如き本格的なキーボードを有している機器はほとんど存在せず、文字入力などを行うためには特別な工夫が必要であり、ＵＬＲアドレスなどを簡単に入力することは困難であった。また、ＵＬＲアドレスの入力が可能であったとしても、これらの家電製品を扱うユーザは、インターネットへのアクセスなどに対する知識がない可能性があり、コンピュータ装置よりも簡単な操作性が要求されている。
【０００４】
このため、一般の家電製品でインターネットにアクセスできるようにする場合には、例えば、ＵＲＬ等の入力を前提としないで、いわゆる各機器に応じた「専用ポータルサイト」をメーカー側が用意して、その「専用ポータルサイト」で用意されたリンク情報に従って、コンテンツにアクセスさせていた。
【０００５】
また従来、例えばテレビジョン放送番組の記録を行うハードディスクレコーダなどの映像機器において、ユーザが入力したキーワードに対応した番組を、放送番組に付随するＥＰＧ（Electric Program Guide）データなどから検索するようにしたものも開発されている。特許文献１には、このようにユーザ入力されたキーワードで放送番組などの検索を行うことについての開示がある。
【特許文献１】特開２００３−３０２０６号公報
【発明の開示】
【発明が解決しようとする課題】
【０００６】
しかしながら、専用ポータルサイトを用意してアクセスさせるようにすると、アクセス場所の制限が事実上、存在しないインターネットの世界を十分に活用することを、ユーザに手軽に提供する事にはならず、決められたコンテンツだけを閉じられた所で、見せるという結果になっている。また、ユーザが入力したキーワードに基づいて、受信する番組をＥＰＧデータなどから探し出す場合にも、キーワードの入力がユーザ操作で必要であると共に、検索される範囲についてもＥＰＧデータとして伝送される範囲などの予め決められた範囲に限定されるので、十分に範囲の広い検索が行えているとは言えなかった。
【０００７】
本発明はかかる点に鑑みてなされたものであり、特別に複雑な操作を必要とすることなく、簡単に広い範囲から様々な情報を検索することができるようにすることを目的とする。
【課題を解決するための手段】
【０００８】
本発明は、第１のコンテンツの表示を行うと共に、その表示された第１のコンテンツに関連したキーワードを抽出して表示し、表示されたキーワードに基づいて所定の形態の第２のコンテンツの検索を行い、その検索で探し出された第２のコンテンツを表示するようにしたものである。
【０００９】
このようにしたことで、表示させた第１のコンテンツに関連したものが、その第１のコンテンツから抽出されたキーワードを使用して、所定の形態のコンテンツの中から自動的に検索される。
【発明の効果】
【００１０】
本発明によると、第１のコンテンツに関連したものが、その第１のコンテンツから抽出されたキーワードを使用して自動的に検索されるので、ユーザがキーワードの入力操作などを行うことなく、例えば現在視聴中のコンテンツに関連したウェブページなどのコンテンツを見ることが可能になる。
【００１１】
この場合、第１のコンテンツは、放送番組のコンテンツであり、そのコンテンツに付随する番組案内情報からキーワードを抽出し、その抽出されたキーワードに基づいてインターネット上のウェブページを検索し、検索されたウェブページを放送番組と同時に表示させるようにしたことで、番組案内情報に基づいて簡単に良好なキーワードの抽出ができ、適切なインターネット上のウェブページ検索が可能になる。
【００１２】
また、第１のコンテンツに関連したキーワードの抽出は、複数の候補キーワードを抽出し、抽出された複数の候補キーワードの中から選択されたキーワードに基づいてコンテンツの検索を行うことで、ユーザは表示された複数の候補キーワードの中から選択する操作を行うだけで、より適切なキーワードが選定できるようになる。
【００１３】
また、抽出して表示されたキーワードから、連想される別のキーワードを検索して表示し、表示された別のキーワードを、第２のコンテンツ検索用のキーワードとすることで、よりキーワードとして選択できる範囲が広がり、ユーザが知りたいあらゆる情報の検索が可能になる。
【発明を実施するための最良の形態】
【００１４】
以下、本発明の一実施の形態を、添付図面を参照して説明する。
図１は、本例の情報検索処理を適用した装置の構成例を示した図である。本例の場合には、動画を表示可能な表示手段を備えた機器としてあり、テレビジョン受像機やコンピュータ装置などの各種情報表示装置に適用可能である。図１では、テレビジョン受像機などの各機器に特有の機能を実行する処理部（例えばチューナなど）の詳細については省略してあり、表示された情報に基づいた検索とその検索結果に基づいた表示を行う部分を中心にして説明してある。
【００１５】
即ち、本例の装置の動作を制御する中央制御ユニット（ＣＰＵ）１１に、ＲＯＭ１２とＲＡＭ１３が内部バスラインを介して接続してあり、さらに外部のネットワークと接続するためのネットワークインターフェース１４を備える。ＣＰＵ１１は、後述する情報検索処理を実行する制御手段として機能し、接続されたメモリ１２，１３が後述するデータベースの記憶手段としても機能する。また、情報検索処理を実行させるプログラムが、ＲＯＭ１２又はＲＡＭ１３に実装させてあり、そのプログラムに基づいてＣＰＵ１１が情報検索処理を実行する。ＲＡＭ１３などの記憶手段については、半導体メモリの他に、ハードディスクなどの記憶手段を使用しても良く、或いはメモリカードなどの着脱自在の記憶手段であっても良い。ハードディスクなどの大容量の記憶手段（記録手段）を備えた場合には、例えばテレビジョン受像機の場合、放送番組を蓄積する録画機能を備えても良い。
【００１６】
ネットワークインターフェース１４としては、例えば、アナログ電話回線用のアナログモデム、ＩＳＤＮ回線用のモデム、ＡＤＳＬ（Asymmetric Digital Subscriber Line）用のルータ又はモデム、ＬＡＮ（Local Area Network：構内情報通信網）用のアダプタ、無線電話用のアダプタ、Bluetooth （商標）などの無線通信用のアダプタなどが適用可能である。これらの構成のインターフェース１４を経由して、インターネットに接続できる構成としてある。
【００１７】
また、各種情報や動画の表示制御を行うためのグラフィックコントローラ１５を備える。このグラフィックコントローラ１５に映像データを保持するＶＲＡＭ１６が接続してあり、グラフィックコントローラ１５の制御で描画された映像を、表示部１７で表示させる。表示部１７としては、液晶表示パネル，陰極線管などの表示手段が使用される。なお、表示部１７には、図示しないチューナが受信した映像信号や外部から入力した映像信号（例えばビデオ再生装置から再生した映像信号）による映像（画像）を表示させることもできる。これらの映像信号による映像と、後述するインターネットのウェブページなどによる映像とは、グラフィックコントローラ１５の制御で、１つの画面上に同時に表示させることも可能であり、また後述するキーワードなどの文字情報を重ねて表示させる処理も可能である。
【００１８】
また、各種操作キー，操作ボタンなどで構成される操作部１９と、その操作部１９の操作を受け付けるユーザインターフェースコントローラ１８を備え、ユーザインターフェースコントローラ１８が受け付けた操作データがＣＰＵ１１に供給される。また、受光部２０が受光（受信）した赤外線信号を、ユーザインターフェースコントローラ１８で判別する構成としてあり、リモートコントロール装置などからの遠隔制御も可能としてある。
【００１９】
図２は、本例の装置をテレビジョン受像機として構成した場合の例を示した図である。この例では、図２に示すように、テレビジョン受像機１０の表示部１８が有する表示画面に、テレビジョン放送番組の映像表示１７ａを行うと共に、その表示された番組に基づいて抽出されたキーワードの一覧表示１７ｃを、その番組の表示の一部に重ねて表示させてある。また、キーワードの一覧表示１７ｃの中から選択されたキーワードに基づいて検索されたウェブページの表示１７ｂを、放送番組表示１７ａと並べて行うようにしてある。ウェブページの表示１７ｂについては、例えばキーワードに基づいて検索されたウェブページが複数存在する場合に、その複数のウェブページを、一定時間毎に順に表示させるようにしても良い。ウェブページなどの表示させる１つのコンテンツが、複数の画面で構成されている場合には、その複数の画面を、順に変化させても良い。
【００２０】
なお、図２に示した表示状態は一例を示したものであり、配置や表示サイズは他の表示形態であっても良い。また、それぞれの表示を同時に行うのではなく、切換え操作で順に行うようにしても良い。これらの表示に関係した操作は、例えばテレビジョン受像機１０に付属したリモートコントロール装置２１に配置されたキー操作で可能である。
【００２１】
図３は、本例の装置をパーソナルコンピュータ装置として構成した場合の例を示した図である。この例では、図３に示すように、パーソナルコンピュータ装置本体３０と、ディスプレイ装置３１とで構成されて、パーソナルコンピュータ装置本体３０で作成された映像がディスプレイ装置３１に表示される。この例では、ディスプレイ装置３１の画面３１ａに、キーワードの一覧表示３１ｂだけを行う例としてあるが、図２に示したテレビジョン受像機１０の画面と同様の表示を行っても良い。
【００２２】
なお、図２，図３に示したテレビジョン受像機，パーソナルコンピュータ装置以外の表示機能を備えた電子機器で、同様の表示を行うための処理を行っても良い。例えば、ＰＤＡ（Personal Digital Assistants ），携帯電話端末などの携帯型の電子機器として構成しても良い。
【００２３】
次に、本例の装置を使用して、インターネット上のホームページなどのコンテンツの検索を行う処理について説明する。まず、図１に示した構成の本例の装置は、検索を行うために、この装置に入力した文章１００から、判別エンジン２００として機能する演算処理部で、選択された文章３００を得るようにしてある。この選択された文章３００として、例えば後述するキーワードを得るようにすれば、キーワードに基づいたホームページ検索などが行える。キーワードそのものは、本例の装置内での演算処理で判別するが、例えばその判別されたキーワードに基づいたホームページ検索については、外部（例えばインターネット上に用意された検索エンジン）で検索させる。装置内に構成される判別エンジン２００としては、例えばＣＰＵ１１とその周辺のメモリなどの回路で構成される。
【００２４】
入力した文章１００は、この装置で表示中（処理中）のコンテンツに関連して得られたテキストデータであり、例えばテレビジョン放送番組の場合には、その番組データに付加された番組案内情報であるＥＰＧ（Electric Program Guide）データがある。図５は、番組毎に用意されたＥＰＧデータの一例を示したものであり、放送日時，番組タイトルの他に、番組の簡単な内容説明などの文章が付加されている。このＥＰＧデータを構成するテキストデータから、キーワードとなる単語（文章）を抽出する判別処理を行う。
【００２５】
また、この装置で処理中のコンテンツがストリーミング音楽のコンテンツであり、音楽データに埋め込まれた（付加された）データに、メタ情報を表すデータがある場合には、そのデータからキーワードを判別する。例えば、音楽データに付加されたテキストデータがある場合には、そのテキストデータを使用からキーワードとなる単語（文章）を抽出する判別処理を行う。例えば、ＭＰ３（MPEG1 Audio Layer3）と称される方式で圧縮符号化されたオーディオデータの場合には、図６に示すように、音楽データのタイトル，アーティスト名などのタグ情報が付加させてあり、これらのテキストデータからキーワードを抽出することが可能である。なお、音楽コンテンツではなく、画像データを有する動画コンテンツの場合に、その動画コンテンツに含まれるメタ情報を基に、キーワードを選定するようにしても良い。
【００２６】
キーワードの抽出処理としては、例えば図７に示すように、ウェブブラウザ，メディア再生，メール機能などのこの装置で扱う機能の過去の操作履歴により、この機器を使用するユーザの好みを分析して、そこから文章解析手法や、統計的な手法を使って、キーワードを抽出することができる。そして、その抽出されたキーワードを、例えばインターネット上に用意されたウェブページ検索用のエンジンに、検索用のキーワードとして送って、その結果得られた候補となるウェブページの中から、表示するのに適したウェブページを探し出して、表示させる。
【００２７】
より具体的な判別エンジンでのキーワードの判別と、その判別されたキーワードに基づいたウェブページの検索処理例を図８に示すと、例えば、嗜好抽出用訓練用データとして、ウェブページなどから抽出されたキーワード群に基づいて、単語の重要度の評価を行う処理２１０を行い、その単語の重要度の評価データから、さらにユーザ操作に基づいてデータ抽出処理２２０を行って、キーワードの集まりを得る処理２３０を行う。得られたキーワードの集まりからは、嗜好ベクトルを抽出する処理２４０を行う。
【００２８】
また、ウェブページを推奨するためのリコメンド候補データとして、外部の検索エンジンなどを使用して得られた候補となるウェブページから抽出されたキーワード群に基づいて、単語の重要度の評価を行う処理２５０を行い、得られた単語の重要度の評価データをベクトル化する処理２６０を行い、嗜好ベクトルとのマッチング計算処理２７０を行い、類似度の高いものが表示するためのウェブページとして抽出される処理２８０が行われる。
【００２９】
ここで、ベクトル化する際には、各ベクトル自体に、例えばＴＦＩＤＦ法などで「単語重要度の評価」を行って、評価値を付加して、重要度順に並べることが可能になる。ＴＦＩＤＦ法は、単語の出現頻度ＴＦ(Term Frequency)と文書頻度の逆数ＩＤＦ（Inverse Document Frequency）の積をとったもので、文書を特徴ベクトルで表現し、それを文書間で内積をとり関連性を調べるものである。このような処理により、値の多い順（即ち関連性の高い順）に並び変えておけば、キーワードをランク順に並べることが可能になる。また、ユーザの操作により、日々、単語の重要度評価を行う（例えば処理２２０でのデータ抽出時の処理で評価を行う）ことで、キーワードのランキングを随時更新することが可能になる。
【００３０】
次に、このようにして行われる検索処理を利用して、テレビジョン受像機で受信又は再生させた番組についてのキーワードを抽出して、その抽出されたキーワードに基づいてコンテンツの表示などを行う具体的な処理例について説明する。ここでは、図２に示したように、テレビジョン受像機１０の表示画面に、テレビジョン放送番組の映像表示１７ａを行うと共に、その表示された番組に基づいて抽出されたキーワードの一覧表示１７ｃを、その番組の表示の一部に重ねて表示させ、その一覧表示１７ｃの中から選択されたキーワードに基づいて検索されたウェブページの表示１７ｂを行う例としてある。
【００３１】
図９のフローチャートに従って処理の流れを説明すると、ＣＰＵ１１は、キーワード表示モードが選択されているか否か判断し（ステップＳ１１）、キーワード表示モードが選択された場合の次の処理に移る。キーワード表示モードが選択された場合には、キーワード窓を画面中に表示させる（ステップＳ１２）。このキーワード窓は、図２の表示例での一覧表示１７ｃに相当し、ここではユーザの嗜好などに基づいて放送中の番組のデータから複数のキーワード（図２の例では５つのキーワード）を抽出して、その複数のキーワードの一覧を表示させる。
【００３２】
そして、その表示された複数のキーワードの中から、ユーザの操作で特定の１つのキーワードが選択されたか否か判断し（ステップＳ１３）、選択された場合に、その選択されたキーワードを外部の検索エンジンに送って、インターネット上のウェブページのように、その検索エンジンで検索できる形態のコンテンツの中から、キーワードに対応したものを検索させて、その結果をコンテンツ窓として表示させる（ステップＳ１４）。コンテンツ窓として、コンテンツの一覧を表示させた場合には、その中から選択されたか否か判断し（ステップＳ１５）、選択された場合には、その選ばれたコンテンツを表示させる処理を実行させる（ステップＳ１６）。なお、コンテンツ表示については、ユーザ操作で選択することなく、最も適したものから自動的に順に表示させても良い。そして、コンテンツの表示の終了指示が行われたか否か判断し（ステップＳ１７）、終了指示が行われた場合に、コンテンツの表示を終了させる。
【００３３】
次に、キーワードの表示に基づいて実行される処理例について説明する。図１０は、キーワード窓の表示例を示した図である。図１０（ａ）に示すように、例えば最初に表示されるキーワード窓では、そのときに表示されたコンテンツ（放送番組など）から、そのときのユーザの嗜好に最も合っていると思われる５個のキーワードを表示させる。このとき、その５個のキーワードの中から選択されたキーワードが判るような表示形態としてある。図１０（ａ）の例では、最も上のキーワードを選択した状態としている。また、このときのキーワード窓には、そのキーワード窓の表示を閉じるためのボタン表示（「閉じる」と表示された部分）と、選択されたキーワードにさらに関連した別のキーワードを検索するためのボタン表示（「といえば‥」と表示された部分）とを行うようにしてあり、リモートコントロール装置の操作などで該当する部分が選択されたときに、対応した動作を行うようにしてある。
【００３４】
そして、特定の１つのキーワードが選択されると、図１０（ｂ）に示すように、そのキーワードに関連して行う処理の候補の一覧がキーワード窓に表示される。この例では、１．ウェブ表示、２．番組予約、３．ストリーミング音楽、４．ストリーミング動画の４つの中から選べるようにしてある。ウェブ表示が選ばれた場合には、キーワードに関連したウェブページをインターネット上の検索エンジンを使用して検索させて、表示させる。番組予約が選ばれた場合には、キーワードに関連した番組を電子番組表から探し出して、その番組の自動録画予約を行う。ストリーミング音楽やストリーミング動画が選ばれた場合には、キーワードに関連したインターネット上で取得できるストリーミング音楽やストリーミング動画を検索させて、音楽を再生させたり動画を表示させる。このストリーミング音楽やストリーミング動画の検索についても、インターネット上の検索エンジンを使用して検索を実行させる。
【００３５】
図１１は、番組予約が選ばれた場合の例を示した図である。図１１（ａ）に示すように、番組予約が選ばれた場合には、その前段で選ばれたキーワードを使用して、電子番組表から候補番組が探し出されるが、ここではさらに、番組のジャンルなどを選択する画面が図１１（ｂ）に示すように表示される。そして、その選ばれたジャンル内でキーワードに基づいて検索された番組のリストが、図１１（ｃ）に示すように表示される。そして、探し出された番組の録画予約を行う場合には、録画予約処理に移行する。
【００３６】
また、図１２（ａ）に示すように、番組予約が選ばれた場合に、過去に放送された番組と、現在放送中の番組と、未来に放送される番組の中から、キーワードに適合した番組を探し出して表示させる図１２（ｂ）に示す表示として、その中から選択された番組に対応した処理を行うようにしても良い。例えば、過去に放送された番組が選択された場合には、ハードディスクなどの記録媒体に蓄積されたその番組のデータを探し出し、その番組のデータが録画されている場合には、その番組の視聴を開始させる。現在放送中の番組が選択された場合には、その番組が放送されているチャンネルを受信して、その番組の視聴を開始させる。未来に放送される番組が選択された場合には、その番組が放送される時間の録画予約を行う。
【００３７】
また本例においては、図１０（ａ）で説明したように、キーワード窓として、選択されたキーワードにさらに関連した別のキーワードを検索するようにしてある。その場合の処理例を、図１３を参照して説明すると、図１３（ａ）に示すように、キーワードに関連した別のキーワードを検索するためのボタン表示（「といえば‥」と表示された部分）が選択された場合に、図１３（ｂ）に示すように、キーワード窓の上部に、関連した検索されたキーワードの一覧を表示させる。また、キーワード窓の下部には、各キーワードの関連を簡単に説明するようにしてある。キーワードに関連した別のキーワードの検索については、装置内で、ＣＰＵ１１とその周辺回路を使用した演算で、最初にキーワードを判別する場合と同様の処理で検索しても良いが、インターネット上の検索エンジンなどを使用しても良い。
【００３８】
そして、図１３（ｂ）に示した関連キーワード表示の中から、いずれかのキーワードがユーザ操作で選択された場合には、図１３（ｃ）に示すように、そのキーワードに関連して行う処理の候補の一覧がキーワード窓に表示される。この図１３（ｃ）に示した表示は、図１０（ｂ）で既に説明した表示と同様のものである。
【００３９】
以上説明したように、テレビジョン放送番組の視聴などの所定のコンテンツ（第１のコンテンツ）の表示処理などを行っている状態で、そのコンテンツに関連したキーワードを抽出して、そのキーワードに基づいて、インターネット上のホームページやストリーミング音楽などの所定の形態のコンテンツ（第２のコンテンツ）を検索して表示させることで、ユーザがキーワードの入力操作などを行うことなく、簡単な操作で任意のコンテンツを探し出すことが可能になる。
【００４０】
また、図１３に示したように、最初に選択されたキーワードに関連する他のキーワードを複数探し出すようにしたことで、よりキーワードに基づいたコンテンツなどの検索が、広範に行われることになり、元のコンテンツに関係した様々な情報を探し出すことが可能になる。
【００４１】
なお、ここまで説明した処理では、キーワードを表示されるコンテンツなどから自動的に検索するようにしたが、ユーザ操作でキーワードを入力させて、その入力させたキーワードに基づいて、インターネットのウェブページなどを検索したり、他の関連キーワードを探すようにしても良い。この場合、例えば図２に示した構成のテレビジョン受像機の場合には、文字入力用のキーボードが用意されていないが、例えば図１４に示したような、文字入力画面１７ｄをテレビジョン受像機の画面に表示させて、
【００４２】
また、上述した実施の形態では、テレビジョン放送番組などを表示させる場合に連動して、キーワードを抽出して、そのキーワードに基づいてウェブ上のコンテンツを検索する処理について説明したが、キーワードに基づいてコンテンツの検索を行う場合にも、インターネット上に用意された検索エンジンを使用するのではなく、何らかのデータベースから検索するようにしても良く、そのデータベースがキーワードを抽出する装置側で扱えるものである場合には、装置内で検索しても良い。
【００４３】
また、上述した実施の形態では、テレビジョン受像機などの特定の装置に本例の処理を行う機能を実装させた場合について説明したが、例えば本例の処理を実行するプログラムを用意して、そのプログラムをパーソナルコンピュータ装置などの各種データ処理装置にインストールして、同様の機能を実現するようにしても良い。
【図面の簡単な説明】
【００４４】
【図１】本発明の一実施の形態による装置構成例を示したブロック図である。
【図２】本発明の一実施の形態による装置をテレビジョン受像機とした例を示した説明図である。
【図３】本発明の一実施の形態による装置をコンピュータ装置とした例を示した説明図である。
【図４】本発明の一実施の形態による選択処理例を示した説明図である。
【図５】本発明の一実施の形態で使用するＥＰＧ情報の例を示した説明図である。
【図６】本発明の一実施の形態で使用するタグ情報の例を示した説明図である。
【図７】本発明の一実施の形態によるキーワード抽出に関連した処理例を示した説明図である。
【図８】本発明の一実施の形態による判別エンジンの例を示した説明図である。
【図９】本発明の一実施の形態によるコンテンツ表示処理例を示したフローチャートである。
【図１０】本発明の一実施の形態によるキーワード窓表示の例を示した説明図である。
【図１１】本発明の一実施の形態による番組予約処理例を示した説明図である。
【図１２】本発明の一実施の形態による番組予約処理例を示した説明図である。
【図１３】本発明の一実施の形態によるキーワードに基づいた処理例を示した説明図である。
【図１４】キーワード入力画面の一例を示した説明図である。
【符号の説明】
【００４５】
１０…テレビジョン受像機、１１…中央制御ユニット（ＣＰＵ）、１２…ＲＯＭ、１３…ＲＡＭ、１４…ネットワークインターフェース、１５…グラフィックコントローラ、１６…ＶＲＡＭ、１７…表示部、１８…ユーザインターフェース、１９…操作部、２０…受光部、３０…パーソナルコンピュータ装置、３１…ディスプレイ装置
【図１】
2005115790.tif 000003
【図２】
2005115790.tif 000004
【図３】
2005115790.tif 000005
【図４】
2005115790.tif 000006
【図５】
2005115790.tif 000007
【図６】
2005115790.tif 000008
【図７】
2005115790.tif 000009
【図８】
2005115790.tif 000010
【図９】
2005115790.tif 000011
【図１０】
2005115790.tif 000012
【図１１】
2005115790.tif 000013
【図１２】
2005115790.tif 000014
【図１３】
2005115790.tif 000015
【図１４】
2005115790.tif 000016